(57)【要約】【課題】女性用肌着において、編地の変化によりリンパマッサージ効果を達成することの出来る肌着を提供することを目的とする。【解決手段】女性用肌着であるハーフトップ及び／又はショーツにおいて弾性糸と非弾性糸を組み合わせ、リンパ腺を刺激しマッサージ効果を有する突出部を有する凸部状突出部を有する編地を、肌着の両バスト脇下に向かう腋窩リンパ節又は、下半身脚部付け根の鼠蹊部リンパ節に沿って配置することにより、リンパ液の流れを促進し、体内に蓄積される老廃物を迅速に排出することができる肌着とした。【選択図】  図２
0003160901.tif 000002
【実用新案登録請求の範囲】
【請求項１】
弾性糸と非弾性糸を組み合わせて編成してなる肌着において、肌側に突出する凸部を有する編組織部分を肌着のリンパ節に沿った部分に配置してなる女性用肌着。
【請求項２】
女性用肌着が、ハーフトップ又は女性用成形ショーツである請求項１に記載の肌着。
【請求項３】
前記凸部を有する編組織部分は、二個の三角形の一片を合わせた矢印先端状に編成された凸部を有し、該矢印先端がハーフトップ身頃上方を向くように凸部を有する編組織部分をハーフトップの腋窩リンパ節を含む両脇下部に配してなる請求項２に記載のハーフトップである肌着。
【請求項４】
前記凸部を有する編組織部分の中に、二個の三角形の一片を合わせた矢印先端状に編成された凹部を有し、該矢印先端がハーフトップ身頃上方を向くように凹部を有する編組織部分をハーフトップの腋窩リンパ節を含む両脇下部に配してなる請求項２に記載のハーフトップである肌着。
【請求項５】
ハーフトップ前身頃のバスト部下端からウエスト土台布との間に形成されている帯状バストアップ布が、伸縮性の小さい編地部分で形成されていることを特徴とする請求項３に記載のハーフトップである肌着。
【請求項６】
ハーフトップ後身頃が、両肩部から土台布にかけて交差するＸ字状に形成されている伸縮性の小さい編地として編成された編地部分を有することを特徴とする請求項４に記載のハーフトップである肌着。
【請求項７】
前記凹凸編組織部分が女性用成型ショーツ前身頃の腹部前布部分両側に沿って三角形状に設けられ、凹凸編組織部分が鼠蹊部リンパ節を含む両鼠蹊部に沿って形成されてなる請求項２に記載の女性用成型ショーツである肌着。
【請求項８】
女性用成型ショーツ前身頃の腹部前布部分と、ショーツ後身頃ヒップ部下端から両脚上方にいたるヒップ下端支持部が伸縮性の小さい編地で形成されている請求項７に記載の女性用ショーツである肌着。
【考案の詳細な説明】
【技術分野】
【０００１】
本考案は、リンパマッサージ効果を有する上半身を覆うハーフトップ、及び女性用ショーツ、即ちボーイズレングスと呼ばれる下半身に着用する肌着とにより、血行をよくし、身体の整形を行うと共に健康を増進することの出来る女性用肌着に関する。
【背景技術】
【０００２】
従来、女性身体の補整成形を目的としてブラジャー、ガードル、ボディスーツ等の種々の衣類が考案され、使用されている。さらに、近年においては補整成形効果のみならず、着用することにより、血行をよくし、マッサージ効果を有する肌着も多数考案され、出願がなされている。
【０００３】
編地からなるインナーウエアの内面に、内方に突出する畝が多数本形成されており、互いに平行に右上がりに延在する斜めの畝と、左上がりに延在する斜めの畝とが互いに交差して菱形状の隆起部が連続して形成されているインアーウエア（特許文献１）、補整下着において、着用地に人体体液経路に対応する下着の任意箇所に、経路を刺激する鉱物を配した補正下着（特許文献２）が知られている。しかしながら、マッサージ効果を高めるためには皮膚との接触面積が大きい方がよいとして、内方に突出する畝の幅を広くした上記インナーウエアでは、着用時には畝がつぶれた状態となるので着圧効果は弱くなってしまう。また、下着の任意箇所に、経路を刺激する鉱物を印刷、塗布したものは、下着の折り曲げや洗濯により鉱物が脱落するため効果が持続しない。
更に、編地編成中に特定の編み針を不作用位置に置くことによって、裏地編み面に突起部を設けた編み物も提案されているが（特許文献３）、この突起部は、平面略長円形状突起部で、主として靴下足裏の滑止作用として利用されている。
【先行技術文献】
【特許文献】
【０００４】
【特許文献１】特許第３４１５６１７号公報
【特許文献２】実用新案登録第３０９８２１８号公報
【特許文献３】特開２００２−１４６６５４号公報
【考案の開示】
【考案が解決しようとする課題】
【０００５】
本考案は、ハーフトップ及びボーイズレングスと呼ばれる上半身及び下半身にそれぞれ着用する女性用肌着において、肌着地に身体のリンパ節に沿って凸状の編組織部分を配置して、肌着の着用によって身体の整形効果を得ると共に、着用時の身体の動きによって該凸状の編組織部分が接触している部分の皮膚の血行をよくし、リンパマッサージ効果を達成することの出来る肌着を提供することを目的とする。
【課題を解決するための手段】
【０００６】
本考案の女性用肌着は、弾性糸と非弾性糸を組み合わせて編成してなる肌着において、凸部を有する編み組織部分をリンパ節に沿って配置し、身体の整形効果を得ると共に、リンパ液の流れを促進して健康を促進するためのものである。
女性用肌着は、ハーフトップ又は女性用成形ショーツである。ハーフトップの凸部を有する編み組織部分は、二個の三角形の一片を合わせた矢印先端状に編成され、該矢印先端がハーフトップ身頃上方を向くようにハーフトップの腋窩リンパ節を含む両脇下部に配列されてなるハーフトップである肌着である。又は、二個の三角形の一辺を合わせた矢印線端状に編成された部分が凹状で、該矢印先端がハーフトップ身頃上方を向くように配列され、それ以外の編地組織が凸状のハーフトップである肌着である。
更に、ハーフトップ前身頃のバスト部下端からウエスト土台布との間に形成されている帯状バストアップ布は、伸縮性の小さい編地部分で形成されている。  ハーフトップ後身頃の両肩部から土台布にかけて交差するＸ字状に形成されている部分は、伸縮性の小さい編地部分で形成されていることが望ましい。
【０００７】
女性用肌着が、女性用成形ショーツである場合は、前記凸部を有する編組織部分が女性用成型ショーツ前身頃の腹部前布部分両側に沿って三角形状に設けられ、凸部を有する編組織に形成された三角形が鼠蹊部リンパ節を含む両鼠蹊部に沿って配列される。女性用成型ショーツ前身頃の腹部前布部分と、ショーツ後身頃ヒップ部下端から両脚上方にいたるヒップ下端支持部が伸縮性の小さい編地で形成することが望ましい。
【考案の効果】
【０００８】
本考案の肌着は、弾性糸と非弾性糸を組み合わせ、更に肌着を着用する身体部分において、リンパ節が存在する部分に接する肌着部分に、リンパ腺を刺激しマッサージ効果を有する編地構造を配することにより、リンパ液の流れを促進し、体内に蓄積される老廃物を迅速に排出することができるものである。リンパ腺を刺激しマッサージ効果を有する編地構造としては、当該部分を緊迫性の大きい編地で構成すると共に、編地に、突出部を編成によって構成し、肌着の両バスト脇下に向かう腋窩リンパ節、及び下半身脚部付け根の鼠蹊部リンパ節に沿って突出部を有する編地を配置することにより、マッサージ効果を得る事ができた。
【図面の簡単な説明】
【０００９】
【図１】リンパ腺を刺激しマッサージ効果を有する編地構造の説明図である。
【図２】本考案ハーフトップの前身頃を示す正面図である。
【図３】本考案ハーフトップ後身頃の平面図である。
【図４】本考案肌着である女性用整形ショーツの前身頃の正面図である。
【図５】本考案肌着である女性用整形ショーツの後身頃の平面図である。
【考案を実施するための形態】
【００１０】
本考案の肌着を図面によって説明する。
本考案の主旨は、編地に身体のリンパ液の流れに沿って編地に変化部を形成して、この編地変化部によって血液やリンパ節の流れを促進するマッサージ効果を有する肌着を提供することにある。このマッサージ効果を有する編地の形成には、編成を変化させて凸状部を形成する。まず、リンパマッサージ効果を奏する部分として使用される編地について説明する。
【００１１】
リンパマッサージ効果を奏する部片として使用される突出する凸部を有する編み組織部分を有する第一の編地構造の例としては、伸縮性糸を使用し、図１に示すように地編み部分１を形成すると共に、中心仮想線２に沿ってフロート編みで凸状に編成される突出する矢印先端状の模様３が形成される。模様３は二個の三角形４，５が、それぞれの一辺６，６で接合して形成されるが、この編地を使用する場合は、矢印先端状の模様３の先端７が肌着上方に向かうように使用することが望ましい。
また、別の形態として、矢印先端状の模様３が凹状で、それ以外の脇部分が凸地編みに編成されていても良い。
【００１２】
まず、図２に示すハーフトップの前身頃１１について説明する。前身頃１１の肩部１２よりバストを覆う前身頃地１３は、ソフトな編地で形成する。前身頃地１３のバスト部１４，１４の中央には、絞り帯１５を設けてバストのふくらみに前身頃を沿わせることが好ましい。前身頃バスト部１４，１４の下端には伸縮性の少ないバスト支持布１６を設け、バストを支持するように構成し、バスト支持布１６と土台布１７との間のバスト下部分１８は伸び難い編み地としている。バスト部１４と同一の編み地を使用する。
【００１３】
本考案のリンパ液の流れを良くするマッサージ効果を有する脇布１９，１９が前身頃１１と後身頃２０との間に設けられる。脇布１９，１９は、上記のように伸縮性糸を使用し、前記の様に図１Ａに示す編地１で地編み部分を形成すると共に、中心仮想線２に沿って地編みより更に厚手のフロート編みで編成される三角形４，５が対象に配置され、先端が肌着上方に向かう矢印先端状形状３の模様を有する編地を使用する。脇布１９、１９に形成される矢印先端状形状３の模様を有する編地は、左右脇布の模様が対象に配置されるように編成され、腋窩リンパ節を含む両脇下部を刺激して、上半身のリンパ液の循環を促進する。
また、別の形態として脇布１９が凸状に形成され、矢印先端状形状３が凹状の地編みで形成されていても良い。
【００１４】
ハーフトップの後ろ身頃２０は、肩部１２，１２から、前身頃１１に連続する台布１７にかけて、後身頃２０の編地の大部分が、Ｘ字状に形成された伸縮性の小さい編地２１で形成され、背中の筋肉を引き締め、姿勢を正しく保つ作用をしている。後身頃２０のＸ字状編地２１以外の部分は、適宜、前身頃ソフト地１３と同様の編地によって構成することができる。前身頃の脇布１９，１９は、脇下を越えて後身頃２０に連続した脇布１９，１９として延び、前述のように、図１Ａに示した脇下に向かって先端が肌着上方に向かう矢印先端状の模様３が突出する編地１が使用される。
【００１５】
ハーフトップ本体に設けられるマッサージ効果を有する脇布１９の接する腋窩部について説明する。脇布１９は、上記バスト支持布１６の両側から後身頃２０のＸ字状編地２１にいたる部分に形成されているが、脇下には腋窩リンパ線が通っているので、脇布１９には矢印の先端形状に突出する略三角状の凸部を有する編み組織部分３を土台布１７から脇下に向かって複数列の凸部を有する編み組織部分３の矢印の先端７が脇下に向かうよう編成により設ける。
また、別の形態として脇布１９が凸状に形成され、矢印先端状形状３が凹状の地編みで形成されていても良い。
【００１６】
次に、女性下半身用肌着である女性用成型ショーツ、即ちボーイズレングスについて図４，５を参照して説明する。
ボーイズレングスの前身頃２２にはウエストベルト２３から腹部押さえ部２４が伸縮性の小さい編組織で編成される。本考案の特徴である凸部模様を有する編地構造が腹部押さえ部２４の両脇の鼠蹊部リンパ節を含む両鼠蹊部に沿って設けられる。この部分の凸部模様は、リンパ腺の外側に向かって凸部編み組織である三角形が配置される。このような女性用成型ショーツ前身頃２２の構成によって、歩行等により脚部のリンパ節を刺激することによって血行が促進される。
【００１７】
ボーイズレングスの後身頃２５は、前身頃２２から続いてウエストベルト２３が設けられ、左右両側臀部２７、２７を覆う部分にはソフトな編地を配し、臀部２７、２７を支えるように、後脚部２８は、伸縮性の少ない編組織で編成する。前脚部２６には柔軟な編地を配し、股下クロッチ布２９を従来法により縫着する。  
【産業上の利用可能性】
【００１８】
本考案の肌着は、肌着を着用することのみによって、身体のリンパ節が存在する部分に接して、リンパ腺を刺激しマッサージ効果を有する編地構造を配することによりリンパ液の流れを促進し、体内に蓄積される老廃物を迅速に排出することができるものである。本考案の肌着においては、腋窩リンパ節、及び下半身脚部付け根の鼠蹊部リンパ節に沿って設けた編地による突出部がリンパ腺を刺激する。
【符号の説明】
【００１９】
１    凸部を有する編み組織部分
２    中心仮想線
３    模様
４    三角形
５    三角形
６    三角形一辺
７    先端
１１  ハーフトップ前身頃
１２  肩部
１３  前身頃地
１４  バスト部
１５  絞り帯
１６  バスト支持布
１７  土台布
１８  バスト下部分
１９  脇布
２０  後身頃
２１  Ｘ字状編地
２２  ショーツ前身頃
２３  ウエストベルト
２４  腹部押さえ部
２５  ショーツ後身頃
２６  前脚部
２７  臀部
２８  後脚部
２９  クロッチ布 
【図１】
0003160901.tif 000003
【図２】
0003160901.tif 000004
【図３】
0003160901.tif 000005
【図４】
0003160901.tif 000006
【図５】
0003160901.tif 000007
【手続補正書】
【提出日】平成22年4月30日(2010.4.30)
【手続補正１】
【補正対象書類名】実用新案登録請求の範囲
【補正対象項目名】全文
【補正方法】変更
【補正の内容】
【実用新案登録請求の範囲】
【請求項１】
弾性糸と非弾性糸を組み合わせて編成してなる肌着において、凸部または凹部を肌側に有する編組織部分を肌着のリンパ節に沿った部分に配置してなる女性用肌着。
【請求項２】
前記凸部または凹部を肌側に有する編組織部分は、二個の三角形の一辺を合わせた矢印先端状に編成された凸部又は凹部を有し、該凸部又は凹部の矢印先端が女性用肌着の身頃上方を向くように配してなる編組織である請求項１に記載の女性用肌着。
【請求項３】
女性用肌着がハーフトップである請求項２に記載の女性用肌着。
【請求項４】
前記矢印先端状に編成された凸部又は凹部を有する編組織部分が、該矢印先端がハーフトップ身頃上方を向くように腋窩リンパ節を含む両脇下部に配してなる請求項３に記載のハーフトップである女性用肌着。
【請求項５】
ハーフトップ前身頃のバスト部下端からウエスト土台布との間に形成されている帯状バストアップ布が、伸縮性の小さい編地部分で形成されていることを特徴とする請求項４に記載のハーフトップである女性用肌着。
【請求項６】
ハーフトップ後身頃が、両肩部から土台布にかけて交差するＸ字状に形成されている伸縮性の小さい編地として編成されている編地部分を有することを特徴とする請求項５に記載のハーフトップである女性用肌着。
【請求項７】
女性用肌着が整形ショーツである請求項２に記載の女性用肌着。
【請求項８】
前記凸部又は凹部を有する編組織部分が、女性用成型ショーツ前身頃の腹部前布部分両側に沿って三角形状に設けられ、凸部又は凹部を有する編組織部分が鼠蹊部リンパ節を含む両鼠蹊部に沿って形成されてなる請求項７に記載の整形ショーツである女性用肌着。
【請求項９】
整形ショーツ前身頃の腹部前布部分と、ショーツ後身頃ヒップ部下端から両脚上方にいたるヒップ下端支持部が伸縮性の小さい編地で形成されている請求項８に記載の整形ショーツである女性用肌着。
【手続補正２】
【補正対象書類名】明細書
【補正対象項目名】全文
【補正方法】変更
【補正の内容】
【考案の詳細な説明】
【技術分野】
【０００１】
本考案は、リンパマッサージ効果を有する上半身を覆うハーフトップ、及び女性用ショーツ、即ちボーイズレングスと呼ばれる下半身に着用する肌着とにより、血行をよくし、身体の整形を行うと共に健康を増進することの出来る女性用肌着に関する。
【背景技術】
【０００２】
従来、女性身体の補整成形を目的としてブラジャー、ガードル、ボディスーツ等の種々の衣類が考案され、使用されている。さらに、近年においては補整成形効果のみならず、着用することにより、血行をよくし、マッサージ効果を有する肌着も多数考案され、出願がなされている。
【０００３】
編地からなるインナーウエアの内面に、内方に突出する畝が多数本形成されており、互いに平行に右上がりに延在する斜めの畝と、左上がりに延在する斜めの畝とが互いに交差して菱形状の隆起部が連続して形成されているインナーウエア（特許文献１）、補整下着において、着用地に人体体液経路に対応する下着の任意箇所に、経路を刺激する鉱物を配した補正下着（特許文献２）が知られている。しかしながら、マッサージ効果を高めるためには皮膚との接触面積が大きい方がよいとして、内方に突出する畝の幅を広くした上記インナーウエアでは、着用時には畝がつぶれた状態となるので着圧効果は弱くなってしまう。また、下着の任意箇所に、経路を刺激する鉱物を印刷、塗布したものは、下着の折り曲げや洗濯により鉱物が脱落するため効果が持続しない。
更に、編地編成中に特定の編み針を不作用位置に置くことによって、裏地編み面に突起部を設けた編み物も提案されているが（特許文献３）、この突起部は、平面略長円形状突起部で、主として靴下足裏の滑止作用として利用されている。
【先行技術文献】
【特許文献】
【０００４】
【特許文献１】特許第３４１５６１７号公報
【特許文献２】実用新案登録第３０９８２１８号公報
【特許文献３】特開２００２−１４６６５４号公報
【考案の開示】
【考案が解決しようとする課題】
【０００５】
本考案は、ハーフトップ及びボーイズレングスと呼ばれる上半身及び下半身にそれぞれ着用する女性用肌着において、肌着地に身体のリンパ節に沿って凸状またはの凹状の編組織部分を配置して、肌着の着用によって身体の整形効果を得ると共に、着用時の身体の動きによって該凸状のまたは凹状の編組織部分が接触している部分の皮膚の血行をよくし、リンパマッサージ効果を達成することの出来る肌着を提供することを目的とする。
【課題を解決するための手段】
【０００６】
本考案の女性用肌着は、弾性糸と非弾性糸を組み合わせて編成してなる肌着において、凸部または凹部を有する編み組織部分を肌着のリンパ節に沿った部分に配置し、身体の整形効果を得ると共に、リンパ液の流れを促進して健康を促進するためのものである。
女性用肌着は、ハーフトップ又は女性用整形ショーツである。女性用肌着の凸部または凹部を有する編み組織部分は、二個の三角形の一辺を合わせた矢印先端状に編成され、該矢印先端がハーフトップ身頃上方を向くようにハーフトップの腋窩リンパ節を含む両脇下部に配列されてなるハーフトップである肌着である。又は、二個の三角形の一辺を合わせた矢印線端状に編成された部分が凹状で、該矢印先端がハーフトップ身頃上方を向くように配列され、それ以外の編地組織が凸状のハーフトップである肌着である。
更に、ハーフトップ前身頃のバスト部下端からウエスト土台布との間に形成されている帯状バストアップ布は、伸縮性の小さい編地部分で形成されている。  ハーフトップ後身頃の両肩部から土台布にかけて交差するＸ字状に形成されている部分は、伸縮性の小さい編地部分で形成されていることが望ましい。
【０００７】
女性用肌着が、女性用整形ショーツである場合は、前記凸部または凹部を有する編組織部分が女性用整形ショーツ前身頃の腹部前布部分両側に沿って三角形状に設けられ、凸部または凹部を有する編組織に形成された三角形が鼠蹊部リンパ節を含む両鼠蹊部に沿って配列される。女性用整形ショーツ前身頃の腹部前布部分と、ショーツ後身頃ヒップ部下端から両脚上方にいたるヒップ下端支持部を伸縮性の小さい編地で形成することが望ましい。
【考案の効果】
【０００８】
本考案の女性用肌着は、弾性糸と非弾性糸を組み合わせ、更に肌着を着用する身体部分において、リンパ節が存在する部分に接する肌着部分に、リンパ腺を刺激しマッサージ効果を有する編地構造を配することにより、リンパ液の流れを促進し、体内に蓄積される老廃物を迅速に排出することができるものである。リンパ腺を刺激しマッサージ効果を有する編地構造としては、当該部分を緊迫性の大きい編地で構成すると共に、編地に、突出部もしくは陥没部を設けて編成し、肌着の両バスト脇下に向かう腋窩リンパ節、及び下半身脚部付け根の鼠蹊部リンパ節に沿って突出部もしくは陥没部を有する編地を配置することにより、マッサージ効果を得る事ができた。
【図面の簡単な説明】
【０００９】
【図１】リンパ腺を刺激しマッサージ効果を有する編地構造の説明図である。
【図２】本考案ハーフトップの、前身頃を示す正面図である。
【図３】本考案ハーフトップの、後身頃を示す背面図である。
【図４】本考案肌着である女性用整形ショーツの、前身頃を示す正面図である。
【図５】本考案肌着である女性用整形ショーツの、後身頃を示す背面図である。
【考案を実施するための形態】
【００１０】
本考案の肌着を図面によって説明する。
本考案の主旨は、編地に身体のリンパ液の流れに沿って編地に変化部を形成して、この編地変化部によって血液やリンパ節の流れを促進するマッサージ効果を有する肌着を提供することにある。このマッサージ効果を有する編地の形成には、編成を変化させて凸状部もしくは凹状部を形成する。まず、リンパマッサージ効果を奏する部分として使用される編地について説明する。
【００１１】
リンパマッサージ効果を奏する部片として使用される突出する凸部を有する編み組織部分を有する第一の編地構造の例としては、伸縮性糸を使用し、図１に示すように地編み部分１を形成すると共に、中心仮想線２に沿ってフロート編みで凸状に編成される突出する矢印先端状の模様３が形成される。模様３は二個の三角形４，５が、それぞれの一辺６，６で接合して形成されるが、この編地を使用する場合は、矢印先端状の模様３の先端７が肌着上方に向かうように使用することが望ましい。
また、別の形態として、矢印先端状の模様３が凹状で、それ以外の脇部分が凸地編みに編成されていても良い。
【００１２】
まず、図２に示すハーフトップの前身頃１１について説明する。前身頃１１の肩部１２よりバストを覆う前身頃地１３は、ソフトな編地で形成する。前身頃地１３のバスト部１４，１４の中央には、絞り帯１５を設けてバストのふくらみに前身頃を沿わせることが好ましい。前身頃バスト部１４，１４の下端には伸縮性の少ないバスト支持布１６を設け、バストを支持するように構成し、バスト支持布１６と土台布１７との間のバスト下部分１８は伸び難い編み地としている。
【００１３】
本考案のリンパ液の流れを良くするマッサージ効果を有する脇布１９，１９が前身頃１１と後身頃２０との間に設けられる。脇布１９，１９は、上記のように伸縮性糸を使用し、前記の様に図１Ａに示す編地１で地編み部分を形成すると共に、中心仮想線２に沿って地編みより更に厚手のフロート編みで編成される三角形４，５が対象に配置され、先端が肌着上方に向かう矢印先端状形状３の模様を有する編地を使用する。脇布１９、１９に形成される矢印先端状形状３の模様を有する編地は、左右脇布の模様が対象に配置されるように編成され、腋窩リンパ節を含む両脇下部を刺激して、上半身のリンパ液の循環を促進する。
また、別の形態として脇布１９が凸状に形成され、矢印先端状形状３が凹状の地編みで形成されていても良い。
【００１４】
ハーフトップの後身頃２０は、肩部１２，１２から、前身頃１１に連続する土台布１７にかけて、後身頃２０の編地の大部分が、Ｘ字状に形成された伸縮性の小さい編地２１で形成され、背中の筋肉を引き締め、姿勢を正しく保つ作用をしている。後身頃２０のＸ字状編地２１以外の部分は、適宜、前身頃ソフト地１３と同様の編地によって構成することができる。前身頃の脇布１９，１９は、脇下を越えて後身頃２０に連続した脇布１９，１９として延び、前述のように、図１Ａに示した脇下に向かって先端が肌着上方に向かう矢印先端状の模様３が突出する編地１が使用される。
【００１５】
ハーフトップ本体に設けられるマッサージ効果を有する脇布１９の接する腋窩部について説明する。脇布１９は、上記バスト支持布１６の両側から後身頃２０のＸ字状編地２１にいたる部分に形成されているが、脇下には腋窩リンパ線が通っているので、脇布１９には矢印の先端形状に突出する略三角状の凸部を有する編み組織部分３を土台布１７から脇下に向かって複数列の凸部を有する編み組織部分３の矢印の先端７が脇下に向かうよう編成により設ける。
また、別の形態として脇布１９に配した矢印先端状形状３が凹状に形成された編地で形成されていても良い。
【００１６】
次に、女性下半身用肌着である女性用整形ショーツ、即ちボーイズレングスについて図４，５を参照して説明する。
ボーイズレングスの前身頃２２にはウエストベルト２３から腹部押さえ部２４が伸縮性の小さい編組織で編成される。本考案の特徴である凸部模様を有する編地構造部１が腹部押さえ部２４の両脇の鼠蹊部リンパ節を含む両鼠蹊部に沿って設けられる。この部分の凸部模様は、リンパ腺の外側に向かって凸部編み組織である三角形が配置される。このような女性用整形ショーツ前身頃２２の構成によって、歩行等により脚部のリンパ節を刺激することによって血行が促進される。
【００１７】
ボーイズレングスの後身頃２５は、前身頃２２から続いてウエストベルト２３が設けられ、左右両側臀部２７、２７を覆う部分にはソフトな編地を配し、臀部２７、２７を支えるように、後脚部２８は、伸縮性の少ない編組織で編成する。前脚部２６には柔軟な編地を配し、股下クロッチ布２９を従来法により縫着する。  
【産業上の利用可能性】
【００１８】
本考案の肌着は、肌着を着用することのみによって、身体のリンパ節が存在する部分に接して、リンパ腺を刺激しマッサージ効果を有する編地構造を配することによりリンパ液の流れを促進し、体内に蓄積される老廃物を迅速に排出することができるものである。本考案の肌着においては、腋窩リンパ節、及び下半身脚部付け根の鼠蹊部リンパ節に沿って設けた編地による突出部もしくは陥没部がリンパ腺を刺激する。
【符号の説明】
【００１９】
１    凸部を有する編み組織部分
２    中心仮想線
３    模様
４    三角形
５    三角形
６    三角形一辺
７    先端
１１  ハーフトップ前身頃
１２  肩部
１３  前身頃地
１４  バスト部
１５  絞り帯
１６  バスト支持布
１７  土台布
１８  バスト下部分
１９  脇布
２０  後身頃
２１  Ｘ字状編地
２２  ショーツ前身頃
２３  ウエストベルト
２４  腹部押さえ部
２５  ショーツ後身頃
２６  前脚部
２７  臀部
２８  後脚部
２９  クロッチ布 
【手続補正３】
【補正対象書類名】図面
【補正対象項目名】図４
【補正方法】変更
【補正の内容】
【図４】
0003160901.tif 000008